【手続補正書】
【提出日】平成16年3月24日(2004.3.24)
【手続補正１】
【補正対象書類名】明細書
【補正対象項目名】発明の名称
【補正方法】変更
【補正の内容】
【発明の名称】入退場管理システム及び本人確認方法


【手続補正２】
【補正対象書類名】明細書
【補正対象項目名】特許請求の範囲
【補正方法】変更
【補正の内容】
【特許請求の範囲】
【請求項１】
関係者と関係者以外の第三者とを判別して施設への入退場を管理する為の入退場管理ゲートと、前記関係者が保持するＩＤ端末とを備えた入退場管理システムであって、前記入退場管理ゲートは各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、
前記ＩＤ端末は前記伝送手段から伝送されるＩＤ照合情報を受信する受信手段と、受信したＩＤ照合情報を前記入退場管理ゲートにて受け取り可能な形態に変換するデータ変換手段とを備えており、
前記ＩＤ発生手段はＩＤを更新する機能を有しており、記憶手段に記憶されたＩＤを更新したＩＤに書き換えると共に、更新したＩＤを含むＩＤ照合情報をＩＤ端末に伝送することを特徴とする入退場管理システム。
【請求項２】
関係者と関係者以外の第三者とを判別して施設への入退場を管理する為の入退場管理ゲートと、前記関係者が保持するＩＤ端末とを備えた入退場管理システムであって、前記入退場管理ゲートは各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、
前記ＩＤ端末は前記伝送手段から伝送されるＩＤ照合情報を受信する受信手段と、受信したＩＤ照合情報を前記入退場管理ゲートにて受け取り可能な形態に変換するデータ変換手段とを備えており、
前記ＩＤ発生手段はＩＤを更新する機能を有しており、記憶手段に記憶されたＩＤを更新したＩＤに書き換えることを特徴とする入退場管理システム。
【請求項３】
前記伝送手段が無線基地局を有する公衆電話回線に回線接続するための回線接続手段であり、前記受信手段がページャ端末或いは携帯端末であることを特徴とする請求項１、請求項２のいずれかに記載の入退場管理システム。
【請求項４】
前記ＩＤ発生手段は、所定のタイミングを発生するタイマー手段に基づいてＩＤを更新するものであることを特徴とする請求項１、請求項２、請求項３のいずれかに記載の入退場管理システム。
【請求項５】
前記ＩＤ発生手段がＩＤを更新する毎に、記憶手段に記憶されたＩＤを更新したＩＤに書き換えると共に、更新したＩＤを含むＩＤ照合情報をＩＤ端末に伝送することを特徴とする請求項１、請求項３、請求項４のいずれかに記載の入退場管理システム。
【請求項６】
前記ＩＤ発生手段がＩＤを更新する毎に、記憶手段に記憶されたＩＤを更新したＩＤに書き換えることを特徴とする請求項２、請求項３、請求項４のいずれかに記載の入退場管理システム。
【請求項７】
前記データ変換手段はＩＤ照合情報をバーコードに変換する変換手段とこのバーコードを表示するための表示手段とを有するものであり、前記入退場管理ゲートがＩＤ照合情報を受け取る手段としてバーコード読み取り装置を用いたことを特徴とする請求項１、請求項２、請求項３、請求項４、請求項５、請求項６のいずれかに記載の入退場管理システム。
【請求項８】
前記データ変換手段はＩＤ照合情報を無線信号として送出するための無線送信手段を少なくとも有するものであり、前記入退場管理ゲートがＩＤ照合情報を受け取る手段として前記無線送信手段からの無線信号を受信可能な受信装置を用いたことを特徴とする請求項１、請求項２、請求項３、請求項４、請求項５、請求項６、請求項７のいずれかに記載の入退場管理システム。
【請求項９】
バーコードを使用した本人確認装置であって、予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送する手段と、前記関係者が所持するＩＤ端末の表示手段に表示されたバーコードを読み取る手段と、前記読み取ったバーコードを変換して得られるＩＤ照合情報が記憶手段に保存されているＩＤ情報と一致するか否かを比較照合する手段とを備え、前記ＩＤ照合情報と一致するＩＤ情報が前記記憶手段に保存されていたときに、照合が一致した旨の信号を出力することを特徴とするバーコードを使用した本人確認装置。
【請求項１０】
バーコードを使用した本人確認装置であって、予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送する手段と、前記関係者が所持するＩＤ端末の表示手段に表示されたバーコードを読み取る手段と、前記読み取ったバーコードを変換して得られるＩＤ照合情報が記憶手段に保存されているＩＤ情報と一致するか否かを比較照合する手段と、前記ＩＤ照合情報と一致するＩＤ情報が前記記憶手段に保存されていたときに、照合が一致した旨の信号を出力する手段と、前記ＩＤ照合情報の伝送を中止し前記関係者に対してＩＤ照合情報の更新を停止する手段とを備えていることを特徴とするバーコードを使用した本人確認装置。
【請求項１１】
バーコードを使用した本人確認方法であって、
予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送するステップと、
前記関係者が所持するＩＤ端末の表示手段に表示されたバーコードを読み取るステップと、
前記読み取ったバーコードを変換して得られるＩＤ照合情報が記憶手段に保存されているＩＤ情報と一致するか否かを比較照合するステップと、
前記ＩＤ照合情報と一致するＩＤ情報が前記記憶手段に保存されていたときに、照合が一致した旨の信号を出力するステップと、を備えていることを特徴とするバーコードを使用した本人確認方法。
【請求項１２】
バーコードを使用した本人確認方法であって、
予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送するステップと、
前記関係者が所持するＩＤ端末の表示手段に表示されたバーコードを読み取るステップと、
前記読み取ったバーコードを変換して得られるＩＤ照合情報が記憶手段に保存されているＩＤ情報と一致するか否かを比較照合するステップと、
前記ＩＤ照合情報と一致するＩＤ情報が前記記憶手段に保存されていたときに、照合が一致した旨の信号を出力するステップと、
更に、前記ＩＤ照合情報の伝送を中止し前記関係者に対してＩＤ照合情報の更新を停止するステップと、を備えていることを特徴とするバーコードを使用した本人確認方法。
【手続補正３】
【補正対象書類名】明細書
【補正対象項目名】０００７
【補正方法】変更
【補正の内容】
【０００７】
【課題を解決しようとする手段】
上記目的を解決するために、本発明に係わる入退場システムの請求項１記載の発明は関係者と関係者以外の第三者とを判別して施設への入退場を管理する為の入退場管理ゲートと、前記関係者が保持するＩＤ端末とを備えた入退場管理システムであって、前記入退場管理ゲートは各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、  前記ＩＤ端末は前記伝送手段から伝送されるＩＤ照合情報を受信する受信手段と、受信したＩＤ照合情報を前記入退場管理ゲートにて受け取り可能な形態に変換するデータ変換手段とを備えており、前記ＩＤ発生手段はＩＤを更新する機能を有しており、記憶手段に記憶されたＩＤを更新したＩＤに書き換えると共に、更新したＩＤを含むＩＤ照合情報をＩＤ端末に伝送するように構成したものである。
本発明に係わる請求項２記載の発明は関係者と関係者以外の第三者とを判別して施設への入退場を管理する為の入退場管理ゲートと、前記関係者が保持するＩＤ端末とを備えた入退場管理システムであって、前記入退場管理ゲートは各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、  前記ＩＤ端末は前記伝送手段から伝送されるＩＤ照合情報を受信する受信手段と、受信したＩＤ照合情報を前記入退場管理ゲートにて受け取り可能な形態に変換するデータ変換手段とを備えており、前記ＩＤ発生手段はＩＤを更新する機能を有しており、記憶手段に記憶されたＩＤを更新したＩＤに書き換えるように構成したものである。
本発明に係わる請求項３記載の発明は請求項１、または請求項２において、
前記伝送手段が無線基地局を有する公衆電話回線に回線接続するための回線接続手段であり、前記受信手段がページャ端末或いは携帯端末であるように構成したものである。
本発明に係わる請求項４記載の発明は請求項１、請求項２、または請求項３において、前記ＩＤ発生手段は、所定のタイミングを発生するタイマー手段に基づいてＩＤを更新するように構成したものである。
本発明に係わる請求項５記載の発明は、請求項１、請求項３、または請求項４において、前記ＩＤ発生手段がＩＤを更新する毎に、記憶手段に記憶されたＩＤを更新したＩＤに書き換えると共に、更新したＩＤを含むＩＤ照合情報をＩＤ端末に伝送するように構成したものである。
本発明に係わる請求項５記載の発明は、請求項１、請求項３、または請求項４において、前記ＩＤ発生手段がＩＤを更新する毎に、記憶手段に記憶されたＩＤを更新したＩＤに書き換えると共に、更新したＩＤを含むＩＤ照合情報をＩＤ端末に伝送するように構成したものである。
本発明に係わる請求項６記載の発明は、請求項２、請求項３、または請求項４において、前記ＩＤ発生手段がＩＤを更新する毎に、記憶手段に記憶されたＩＤを更新したＩＤに書き換えるように構成したものである。
本発明に係わる請求項７記載の発明は、請求項１、請求項２、請求項３、請求項４、請求項５、または請求項６において、前記データ変換手段はＩＤ照合情報をバーコードに変換する変換手段とこのバーコードを表示するための表示手段とを有するものであり、前記入退場管理ゲートがＩＤ照合情報を受け取る手段としてバーコード読み取り装置を用いるように構成したものである。
本発明に係わる請求項８記載の発明は、請求項１、請求項２、請求項３、請求項４、請求項５、請求項６、または請求項７において、前記データ変換手段はＩＤ照合情報を無線信号として送出するための無線送信手段を少なくとも有するものであり、前記入退場管理ゲートがＩＤ照合情報を受け取る手段として前記無線送信手段からの無線信号を受信可能な受信装置を用いるように構成したものである。
本発明に係わる請求項９記載の発明は、バーコードを使用した本人確認装置であって、予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送する手段と、前記関係者が所持するＩＤ端末の表示手段に表示されたバーコードを読み取る手段と、前記読み取ったバーコードを変換して得られるＩＤ照合情報が記憶手段に保存されているＩＤ情報と一致するか否かを比較照合する手段とを備え、前記ＩＤ照合情報と一致するＩＤ情報が前記記憶手段に保存されていたときに、照合が一致した旨の信号を出力するように構成したものである。
本発明に係わる請求項１０記載の発明は、バーコードを使用した本人確認装置であって、予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送する手段と、前記関係者が所持するＩＤ端末の表示手段に表示されたバーコードを読み取る手段と、前記読み取ったバーコードを変換して得られるＩＤ照合情報が記憶手段に保存されているＩＤ情報と一致するか否かを比較照合する手段と、前記ＩＤ照合情報と一致するＩＤ情報が前記記憶手段に保存されていたときに、照合が一致した旨の信号を出力する手段と、前記ＩＤ照合情報の伝送を中止し前記関係者に対してＩＤ照合情報の更新を停止する手段とを備えるように構成したものである。
本発明に係わる請求項１１記載の発明は、バーコードを使用した本人確認方法であって、予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送するステップと、
前記関係者が所持するＩＤ端末の表示手段に表示されたバーコードを読み取るステップと、前記読み取ったバーコードを変換して得られるＩＤ照合情報が記憶手段に保存されているＩＤ情報と一致するか否かを比較照合するステップと、前記ＩＤ照合情報と一致するＩＤ情報が前記記憶手段に保存されていたときに、照合が一致した旨の信号を出力するステップと、を備えるように構成したものである。
本発明に係わる請求項１２記載の発明は、バーコードを使用した本人確認方法であって、予め登録された関係者の個人情報に基づいて生成され時間的に更新されるＩＤ情報を記憶手段に保存すると共に該ＩＤ情報若しくはその一部を前記関係者が所持するＩＤ端末にＩＤ照合情報として伝送するステップと、前記関係者が所持するＩＤ端末の表示手段に表示されたバーコードを読み取るステップと、前記読み取ったバーコードを変換して得られるＩＤ照合情報が記憶手段に保存されているＩＤ情報と一致するか否かを比較照合するステップと、
前記ＩＤ照合情報と一致するＩＤ情報が前記記憶手段に保存されていたときに、照合が一致した旨の信号を出力するステップと、更に、前記ＩＤ照合情報の伝送を中止し前記関係者に対してＩＤ照合情報の更新を停止するステップと、を備えるように構成したものである。